(57)【要約】【課題】回転動作を明確に認識させることが可能な遊具装置の提供。【解決手段】本発明の遊具装置１００は、回転可能な回転基体１４０と、当該回転基体１４０上に配置された遊具本体１３０と、装飾カバー１２０とを備える。上記装飾カバー１２０は、光を乱反射する素材で形成した生地の一方面を透光性素材のシートで保護したシートである。そして、遊具本体１３０の曲面部分を衝撃吸収材で被覆し、装飾カバー１２０の透光性素材のシート面を表として、遊具本体１３０を衝撃吸収材を介して更に被覆することを特徴とする。【選択図】図１
2011103973.tif 000002
【特許請求の範囲】
【請求項１】
回転可能な回転基体と、
前記回転基体上に配置された遊具本体と、
光を乱反射する素材で形成した生地の一方面を透光性素材のシートで保護した装飾カバーとを備え、
前記遊具本体の曲面部分を衝撃吸収材で被覆し、前記装飾カバーの透光性素材のシート面を表として、当該遊具本体を衝撃吸収材を介して更に被覆することを特徴とする遊具装置。
【請求項２】
前記装飾カバーを形成する、光を乱反射する素材が、金属箔を含んだ不織布である請求項１に記載の遊具装置。
【請求項３】
前記遊具装置に対して取り外し可能な固定具を前記装飾カバーに更に備えた請求項１または２に記載の遊具装置。
【請求項４】
前記衝撃吸収材がウレタンである請求項１から３いずれか一項に記載の遊具装置。
【請求項５】
前記固定具がジッパー形式のファスナーである請求項１から４いずれか一項に記載の遊具装置。
【発明の詳細な説明】
【技術分野】
【０００１】
本発明は、遊具装置に関し、特に遊具装置の回転動作をユーザに明確に認識させることができる遊具装置に関する。
【背景技術】
【０００２】
現在、様々な動きを可能とする遊具装置が開発されており、例えば、下記特許文献１には、回転する幼児用の遊具が開示されている。
【先行技術文献】
【特許文献】
【０００３】
【特許文献１】特開平１０−１１３４７４号公報
【発明の概要】
【発明が解決しようとする課題】
【０００４】
例えば、遊具の表面が単色の色彩の場合、遊具が回転したとしても、表面の色彩が変化しないため、遊具が回転しているか否かがユーザに認識困難である。特に、上記従来技術に記載の回転遊具で想定しているユーザは、幼児であるので、回転しているか否かを明確に認識させたいという要請が強い。遊具が回転していることが、幼児にでも簡単に認識できるのであれば、遊具に対する興味を持続させることができるからである。
【０００５】
しかしながら、従来の遊具は、表面の色彩等にはそれほど考慮されておらず、表面は加工されないか、あるいは、単色の素材で表面が加工されている遊具が多かった。このような遊具が回転や揺動されていても、ある程度まで遊具に近づかないと、遊具が回転等しているか否かの判断が困難である。幼児にとって、動いている遊具は興味の対象となりやすく、回転等しているか否かが明確に認識可能な遊具であれば、幼児の興味を強く引き付けることが可能となるので、上記のような遊具の要請が強い。
【０００６】
本発明の目的は、回転等していることが、幼児等にも明確に認識可能で、変更やメンテナンスが簡単な遊具装置を提供することにある。
【課題を解決するための手段】
【０００７】
上記課題を達成するための本発明の遊具装置は、回転可能な回転基体と、当該回転基体上に配置された遊具本体と、装飾カバーとを備える。上記装飾カバーは、光を乱反射する素材で形成した生地の一方面を透光性素材のシートで保護したシートである。そして、遊具本体の曲面部分を衝撃吸収材で被覆し、装飾カバーの透光性素材のシート面を表として、遊具本体を衝撃吸収材を介して更に被覆することを特徴とする。
【０００８】
装飾カバーが光を乱反射する素材で形成された生地の一方面を透光性素材のシートで保護した構成を採用しているので、当該装飾カバーで被覆した遊具本体が回転すると、上記装飾カバーに光の縞模様が映る。これにより、幼児等のユーザであっても、遊具本体が、回転していることが明確に認識できるので、遊具装置に対する興味を持続させることが可能となる。
【０００９】
更に、上記遊具本体は衝撃吸収材を介して装飾カバーに被覆されているので、ユーザが誤って遊具装置にぶつかったとしても、衝撃吸収材が衝撃を吸収してユーザが怪我をするのを未然に防ぐことができる。
上記の構成において、装飾カバーを形成する、光を乱反射する素材が、金属箔を含んだ不織布であることが望ましい。不織布に金属箔を含んだ生地を装飾カバーの上記素材として採用することで、装飾カバーが光を乱反射する傾向が更に高まることになる。
【００１０】
また、遊具装置に対して取り外し可能な固定具を前記装飾カバーに更に備えることが望ましい。この構成を採用すると、遊具装置を搬送する際に、遊具装置から遊具本体を取り外す必要がある場合に、装飾カバーを外した状態で搬送することが可能となる。更に、表面の傷等を修理する際には、装飾カバーを取り替えるだけでよい。なお、衝撃吸収材はウレタンで構成することが可能であり、固定具は、ジッパー形式のファスナーで構成することが可能である。
【発明の効果】
【００１１】
本発明は、当該回転基体上に配置された遊具本体を装飾カバーで被覆した遊具装置である。光を乱反射する素材で形成した生地の一方面を透明シートで保護して装飾カバーを形成する。そして、遊具本体の曲面部分を衝撃吸収材で被覆し、装飾カバーの透明シート面を表として、遊具本体を衝撃吸収材を介して更に被覆する。これにより、遊具本体が回転すると、遊具本体を被覆する装飾カバーが屋内等に設けられた光源からの光を乱反射する。したがって、ユーザが幼児等であっても、遊具装置が回転していることを明確に認識することができる。更に、遊具装置を衝撃吸収材で被覆することで、幼児等のユーザが誤って、遊具装置にぶつかっても、上記衝撃吸収材が衝撃を吸収することで、ユーザが怪我をするのを未然に防止することができる。
【図面の簡単な説明】
【００１２】
【図１】本発明の実施形態に係る遊具装置の全体構成を示す概念図である。
【図２】本発明の実施形態に係る遊具装置を被覆する装飾カバーを示す図である。
【図３】本発明の実施形態に係る遊具装置に使用される回転基体の概念図である。
【図４】本発明の実施形態に係る遊具装置に使用される回転基体の概念図である。
【発明を実施するための形態】
【００１３】
以下に、本発明の遊具装置１００について図面を参照して説明する。図１は、本発明の遊具装置１００の全体構成を示す概略模式図であり、図２は後述の装飾カバーを示す図であり、図３、図４は、回転基体の概略模式図を示している。ただし、本発明に直接には関係しない各部の詳細は省略している。
すなわち、図１に示すように、本発明の遊具装置１００は、回転基体１４０上に配置された遊具本体１３０と、当該遊具本体１３０を被覆する可撓性の装飾カバー１２０（後述する）とを備える。
【００１４】
まず、回転基体１４０で回転する遊具本体１３０を被覆するための装飾カバー１２０を形成する。図２に示すように、金属箔又は金属糸１２２を含んだ糸で生地１２１を織る（不織布でも構わない）。上記金属箔又は金属糸１２２を含んだ糸としては、いわゆるラメ糸が好適に使用される。
上記のように、織られた又は不織布として形成した生地１２１の一方面を透光性素材のシート（以下透明シート１２５）で被覆保護し、装飾カバー１２０を形成する。上記金属糸又は金属箔１２２を含んだ生地１２１は、光を乱反射する素材に相当する。本実施例では、金属箔１２２を含んだ不織布１２１を使用した。不織布の方が金属部分の乱反射する傾向が更に高まるからである。なお、着色した透明シート１２５を使用しても構わない。上記装飾カバー１２０は遊具本体１３０の曲面部分を被覆することになるので、可撓性のシートが望ましい。上記のように、金属糸又は金属箔１２２を含んだ生地１２１の一方面を透明シート１２５で保護する。ユーザが、上記金属部分に直接接触することを防ぐためである。
更に、金属部分を上記透明シート１２５で保護することで、上記装飾カバー１２０が透明シート１２５を介して光を乱反射することで、装飾カバー１２０表面に光の縞模様が形成される。ユーザは、当該光の縞模様の部分に光が当たっていることが明確に判断できることになる。このため、遊具装置１００の奥行が明確に認識することができるので、ユーザは、遊具装置１００が回転していることを明確に判断できることになる。なお、本実施例では上記遊具本体１００を被覆可能な程度の矩形状の装飾カバー１２０を採用した。
【００１５】
更に、上記装飾カバー１２０の透明シート１２５面を表地として、当該装飾カバー１２０の対向する２辺にジッパー形式のファスナー等の固定具を設ける。例えば、上記対向する２辺に務歯１２５（ファスナーの歯の部分）を設け、上記務歯１２５同士をかみ合わせたり離したりする役目をするスライダー１２６を上記２辺の内、いずれか一辺に設ける。上記装飾カバー１２０の他方の面（上記透明シート１２５で保護された面とは反対の面）には、補強生地１２９を縫いつけ又は貼り付けても構わない。例えば、遊具本体１３０の一部を取り外して、遊具装置１００を搬送する必要がある場合、上記ジッパー等の固定具で装飾カバー１２０をはずすことができれば、遊具装置１００を搬送し易くなる。更に、装飾カバー１２０を取り換えるだけで、遊具装置１００表面のメンテナンス（例えば、表面の傷等の修理）を簡単に行うことができる。
【００１６】
次に、本発明の遊具本体１３０に、所定の衝撃吸収材が被覆される。例えば、ウレタン等の衝撃吸収材をシート状に形成する。そして、衝撃吸収材を遊具本体１３０の一部（遊具本体１３０すべてでもよく、ユーザが接触することが予想される部分だけでもよい。）に被覆する。なお、上記衝撃吸収材を中空円筒状に形成し、その側面を切断して、円柱状の遊具本体１３０に被覆する構成を採用しても構わない。なお、上記衝撃吸収材は、ウレタン以外の組成物であってもよく、ポリエチレン等の発泡体等の衝撃吸収材が好適に用いられる。
【００１７】
上記遊具本体１３０を衝撃吸収材で被覆することで、ユーザが誤って遊具にぶつかったとしても、衝撃吸収材によって衝撃が緩和され怪我をするのを効果的に防止することができる。上記のように、衝撃吸収材を被覆した遊具本体１３０に、上記装飾カバー１２０を更に被覆する。このとき、装飾カバー１２０に形成した上記ジッパー形式のファスナー等の固定具により固定されることになる。
【００１８】
次に、図３、図４を参照して、遊具本体を回転するための回転基体１４０の構成を説明する。図３に示すように、上記回転基体１４０の回転機構としては、支持体１４１に駆動モータ１４２を支持させる構成を採用することができる。駆動モータ１４２は、後述のトルクリミッタ１４３及び、スリップリング１４６を介して、回転板１４７を回転する構成となっている。
【００１９】
駆動モータ１４２の出力軸（回転軸）と回転板１４７との間には過剰なトルクから駆動モータ１４２を保護するトルクリミッタ１４３と、回転トルクを検出するトルクセンサ１４５とが設けられている。なお、トルクセンサ１４５としては、接触式のトルクセンサ１４５を用いてもよく、あるいはまた非接触式のトルクセンサ１４５を用いるようにしてもよい。 上記トルクセンサ１４５によって検出されるトルクが予想範囲を外れた場合には、トルクリミッタ１４３により、駆動モータ１４２からの回転動力が回転板１４７に伝達されないようになっている。
【００２０】
更に、回転基体１４０にはスリップリング１４６が付設されており、このスリップリング１４６によって駆動モータ１４２や、遊具装置１００の電飾部材（例えば、装置１００外面に設けられるＬＥＤリボン）に電力を供給するようにしている。
【００２１】
上記駆動モータ１４２は図示しない制御部によって回転数が制御されるように構成されてもよい。制御部は、予め最適な回転数を記憶しており、当該回転数に基いて駆動モータ１４２を介して回転板１４７が回転駆動される。なお、上記回転基体１４０は駆動モータ１４２で回転する構成を採用したが、本発明の回転基体１４０は回転可能に構成されていれば、駆動モータ１４２で回転させる必要はない。
【００２２】
回転基体１４０の他の例として、以下のような構成を採用してもよい。すなわち、図４に示すように、回転基体１４０は、駆動手段である駆動モータ１４２と、所定の回転軸と当該回転軸に対して所定距離ずれた軸とを結ぶ柄からなる軸移動手段（例えば、クランク１５０）を備える。
まず、支持体１４１上に（駆動モータ１４２及び、後述の弾性体が配置可能であれば形状は任意である）駆動モータ１４２を配置する。駆動モータ１４２の回転軸には、上記軸移動手段（クランク１５０）を取りつけて、当該駆動モータ１４２の回転軸を所定の範囲ずらすように構成する。すなわち、クランク１５０の一方端は駆動モータ１４２の回転軸と同じ軸上で回転し、クランク１５０の他端は、当該回転軸に対して偏心して回転することになる。もちろん、駆動モータ１４２の作動をさせるためのスイッチ（図示せず）が遊具装置１００に設けられることは言うまでもない。当該スイッチにより駆動モータ１４２の回転速度を制御可能となるように構成しても構わない。
【００２３】
更に、駆動モータ１４２の過負荷を保護する図示しない過負荷保護手段（例えば、トルクリミッタ）を上記駆動モータ１４２の回転軸又は、上記クランク１５０に取り付けてもよい。駆動モータ１１１の上方には、遊具本体１３０が配置されるため、本発明の遊具装置１００での遊戯を望むユーザの体重分の荷重が当該駆動モータ１４２にかかることになる。所定以上の荷重が駆動モータ１４２にかかると、上記過負荷保護手段がそれを検知し、駆動モータ１４２を空回りさせる。そうすると、クランクに固定された回転板１４７の駆動モータ１４２による自動回転が中止され、ユーザの望む方向への遊具本体の回転移動（手動回転）が可能となる。
【００２４】
上記のように、駆動モータ１４２の回転軸には、上記クランク１５０の一方端が取り付けられる。一方、クランク１５０の他端には、回転板１４７が取り付けられる。上記回転板１４７の形状は、遊具本体１０を取り付けることができる形状であればよく、矩形状、多角形状、円形状等多種の形状の回転板１４７を取り付けることができる。
上記回転板１４７下方には、車輪１６０が装着される。上記車輪１６０は、遊具装置１００を上面視したとき互いに対称となる位置に装着される。なお、上記車輪１６０の高さを調節する高さ調節手段１６１を更に備えても構わない。
【００２５】
上記駆動モータ１４２が作動すると駆動モータ１４２の回転軸に取り付けたクランク１５０を介して上記回転板１４７が偏心して回転する（回転軸がずれた状態で回転することを意味する）。このとき、上記回転板４７は、上記駆動モータ１４２の回転軸を中心として回転しながら、回転板１４７が自転することになる。
上記回転板１４７の自転を規制するための規制手段１５１を設けることもできる。当該規制手段１５１は、駆動モータ１４２が配置された支持体１４１と、回転板１４７とを連結する弾性体（ゴムやバネ等が好適に用いられる）である。規制手段１５１は、回転板１１４７の自転を規制するように構成できれば、その配置方法は任意である。本実施例では、図４（Ｂ）に示すように、上記支持体１４１の端部付近から、回転板１４７の下面に傾斜するように、上記規制手段１５１を配置する構成を採用する。その他、上記支持体１４１の端部付近から、直角方向の位置の回転板１４７下面に上記規制手段１５１を配置する構成を採用してもよい。
【００２６】
上記規制手段１５１の形状も回転板１４７の自転を規制できるのであれば任意である。本実施例では帯状又は、棒状のゴムを一対形成し、当該一対のゴムを上記のような位置に配置する構成を採用した。ゴム等で規制手段１５１を構成することで、回転板１４７が自転を規制されるので、揺動しながら、上記駆動モータ１４２の回転軸を中心として回転することになる。
【００２７】
規制手段１５１のその他の形状として、上記ゴムを円筒状又は、円錐台状に形成し、上記円筒状又は、円錐台状のゴムの一方端を上記支持体１４１に接続し、ゴムの他端を上記回転板１４７に接続する構成を採用することもできる。なお、上記回転基体１４０は駆動モータ１４２で回転する構成を採用したが、本発明の回転基体１４０は回転可能に構成されていれば、駆動モータ１４２で回転させる必要はない。上記のように構成された回転基体１４０に、遊具本体１３０を配置する。
【００２８】
次に本発明の遊具装置１００の使用方法を説明する。本発明では、回転基体１４０に配置された遊具本体１３０が、装飾カバー１２０で被覆されている。したがって、遊具本体１３０が上記回転基体１４０とともに回転する。遊具装置１００が屋内に設置される場合には、遊具本体１３０を被覆する装飾カバー１２０が屋内の照明等の光源２００からの光を反射しながら回転するので、幼児等が光の反射を追うことで、遊具本体１３０が回転していることを認識することができる。上記遊具本体１３０の回転動作は、遊具装置１００から離れた位置からでも認識することができる。回転のように動く遊具に対して、幼児等は興味を引かれることから、上記装飾カバー１２０で被覆した遊具装置１００に対して、幼児等の興味を持続させることが可能となる。
【００２９】
（その他）
実施の形態では、装飾カバー１２０を予め形成し、遊具本体１３０をウレタン等の衝撃吸収材で被覆後に、当該衝撃吸収材を介して遊具本体１３０を被覆する構成を採用した。これに対して、遊具本体１３０を衝撃吸収材で被覆し、当該衝撃吸収材に金属箔等を散布する構成を採用しても構わない。衝撃吸収材に散布される金属箔上には透明シートが貼り付けられることになる。したがって、上記衝撃吸収材に散布される金属箔及び、透明シート部分が、装飾シート１２０に相当することになる。
【産業上の利用可能性】
【００３０】
本発明を使用すると、ユーザ（幼児等を想定している）に遊具装置が回転等していることを簡単に認識させることが可能となる。幼児等は、動くものに対して、強く興味を引くため、幼児等の興味を持続させる遊具装置を提供することが可能となる。したがって、その産業上の利用可能性は大きい。
【符号の説明】
【００３１】
１００  遊具装置
１２０  装飾カバー
１２１  生地
１２２  金属糸、金属箔
１２５  透明シート
１２９  補強生地
１３０  遊具本体
１４０  回転基体
１４２  駆動モータ
２００  光源
【図１】
2011103973.tif 000003
【図２】
2011103973.tif 000004
【図３】
2011103973.tif 000005
【図４】
2011103973.tif 000006